(57)【要約】【課題】プッシュプル駆動させる複数のスピーカユニットが小型であっても、高音質の再生音が得られる音声出力装置を提供する。【解決手段】背面解放型の第１及び第２スピーカユニット(8F,8R)と、第１及び第２スピーカユニット(8F,8R)を離隔収容するハウジング体(H)と、貫通孔(Wb)を有しハウジング体(H)に設けられ第１スピーカユニット(8F)と第２スピーカユニット(8R)との間の空間を区画する区画壁(Wa)と、を備える。第１スピーカユニット(8F)と区画壁(Wa)との間の第１空間(Vf)と第２スピーカユニット(8R)と区画壁(Wa)との間の第２空間(Vr)とが貫通孔（Wb）で連通されると共に外部空間(Vg)に対し実質的に密閉状態とされ、第１スピーカユニット(8F)と第２スピーカユニット(8R)とが逆相で駆動される。【選択図】図３
2017069611.tif 000002
【特許請求の範囲】
【請求項１】
背面解放型の第１及び第２のスピーカユニットと、
前記第１及び第２のスピーカユニットを離隔収容するハウジング体と、
貫通孔を有して前記ハウジング体に設けられ前記第１のスピーカユニットと前記第２のスピーカユニットとの間の空間を区画する区画壁と、
を備え、
前記第１のスピーカユニットと前記区画壁との間の第１の空間と、前記第２のスピーカユニットと前記区画壁との間の第２の空間と、が、前記貫通孔で連通されると共に外部空間に対し実質的に密閉状態とされ、
前記第１のスピーカユニットと前記第２のスピーカユニットとが逆相で駆動されることを特徴とする音声出力装置。
【請求項２】
前記第１のスピーカユニット又は前記第２のスピーカユニットは、二つ以上のスピーカユニットの組とされていることを特徴とする請求項１記載の音声出力装置。
【請求項３】
前記ハウジング体は、前記第２のスピーカユニットの前記音放出面側に第２の気室を有し、
前記第２の気室は実質的に外部空間に対し実質的に密閉状態とされていることを特徴とする請求項１又は請求項２記載の音声出力装置。
【請求項４】
前記ハウジング体は、前記第１のスピーカユニットの前記音放出面側に第１の気室を有すると共に前記第２のスピーカユニットの前記音放出面側に第２の気室を有し、
前記第２の気室は、前記第１の気室又は外部空間と連通していることを特徴とする請求項１又は請求項２記載の音声出力装置。
【発明の詳細な説明】
【技術分野】
【０００１】
本発明は音声出力装置に係り、特に、複数のスピーカユニットを用いて音声を出力する音声出力装置に関する。
【背景技術】
【０００２】
イヤホンやスピーカ装置などの音声出力装置が知られている。
例えば、キャビネットと、キャビネットに取り付けられた複数のスピーカユニットと、を有するスピーカ装置が特許文献１に記載されている。
特許文献１には、二つのスピーカユニットが逆向きに取り付けられた第１キャビネットと、一方のスピーカユニットの前面を包囲する第２キャビネットと、を備えたスピーカ装置が記載されている。このスピーカ装置は、各スピーカユニットに逆相の信号を入力して、各振動板を同じ方向に振動させる、いわゆるプッシュプル駆動を行って、音質向上を図ることができる、とされている。
【先行技術文献】
【特許文献】
【０００３】
【特許文献１】特許第３４４５７１７号公報
【発明の概要】
【発明が解決しようとする課題】
【０００４】
特許文献１に記載された音声出力装置としてのスピーカ装置は、二つのスピーカユニットが一つのスピーカキャビネット（第１のスピーカキャビネット）に収められているため、各スピーカユニットの背面側の空間の体積が比較的大きい。
しかし、イヤホンや携帯スピーカ装置等のようにスピーカユニットが小型の場合、第１のスピーカキャビネット内の空気を十分に振動させることができずプッシュプル駆動による再生音の音質向上が図りにくい、という点で改善が望まれていた。
【０００５】
そこで、本発明が解決しようとする課題は、プッシュプル駆動させる複数のスピーカユニットが小型であっても、高音質の再生音が得られる音声出力装置を提供することにある。
【課題を解決するための手段】
【０００６】
上記の課題を解決するために、本発明は次の１）の構成を有する。
１）背面解放型の第１及び第２のスピーカユニットと、
前記第１及び第２のスピーカユニットを離隔収容するハウジング体と、
貫通孔を有して前記ハウジング体に設けられ前記第１のスピーカユニットと前記第２のスピーカユニットとの間の空間を区画する区画壁と、
を備え、
前記第１のスピーカユニットと前記区画壁との間の第１の空間と、前記第２のスピーカユニットと前記区画壁との間の第２の空間と、が、前記貫通孔で連通されると共に外部空間に対し実質的に密閉状態とされ、
前記第１のスピーカユニットと前記第２のスピーカユニットとが逆相で駆動されることを特徴とする音声出力装置である。
【発明の効果】
【０００７】
本発明によれば、プッシュプル駆動させる複数のスピーカユニットが小型であっても、高音質の再生音が得られる。
【図面の簡単な説明】
【０００８】
【図１】図１は、本発明の実施の形態に係る音声出力装置の実施例であるイヤホン５１を説明するための縦断面図である。
【図２】図２は、イヤホン５１が備えるスピーカユニット８Ｆを説明するための図であり、図２（ａ）は側面図、図２（ｂ）は背面図である。
【図３】図３は、イヤホン５１の構造をモデル化した図である。
【図４】図４は、本発明の実施の形態に係る音声出力装置の実施例であるスピーカ装置５１Ｐを説明するための縦断面図である。
【図５】図５は、イヤホン５１の変形例１であるイヤホン５２Ａを説明するための図である。
【図６】図６は、イヤホン５１の変形例２であるイヤホン５２Ｂを説明するための図である。
【図７】図７は、イヤホン５１の変形例３であるイヤホン５３を説明するための図である。
【図８】図８は、イヤホン５１の変形例４であるイヤホン５４を説明するための図である。
【図９】図９は、イヤホン５１の変形例５であるイヤホン５５を説明するための図である。
【図１０】図１０は、イヤホン５１の変形例６であるイヤホン５６を説明するための図である。
【発明を実施するための形態】
【０００９】
本発明の実施の形態に係る音声出力装置を、好ましい実施例であるイヤホン５１及びスピーカ装置５１Ｐなどにより図１〜図１０を用いて説明する。
【００１０】
図１は、イヤホン５１を説明するための縦断面図である。前後上下の各方向を便宜的に矢印で示してある。前方はイヤホン５１の使用状態での頭部方向となる。左方は図１の紙面表方、右方は紙面裏方である。
【００１１】
イヤホン５１は、いわゆるカナル型（耳栓型）である。
イヤホン５１は、本体部１を有する。本体部１は、イヤピースＥＰが装着されて外耳道内に挿入される音筒部２ａを有する前本体部２と、前本体部２の後方側に位置する胴部３と、胴部３の後方側に位置する後本体部４と、を有する。
イヤホン５１は、さらに、胴部３に接続し下方に延出するブッシング５と、ブッシング５に挿通され胴部３の内部から下方に引き出されるコード６と、を有する。
【００１２】
胴部３は、前後方向に延びる軸線ＣＬ１を中心とする貫通孔である前後ハウジング収容孔３ａを有する。
前後ハウジング収容孔３ａには、有底円筒状の前ハウジング７Ｆ及び後ハウジング７Ｒが、底壁７Ｆａ及び底壁７Ｒａ同士を接触させて前後方向に並べて収められている。
前本体部２と後本体部４とを、胴部３に接着や溶着などで取り付けられており、これにより前ハウジング７Ｆと後ハウジング７Ｒとは、前本体部２と後本体部４とに挟まれて胴部３内にしっかり保持されるようになっている。
【００１３】
イヤホン５１は、円筒状の外観を呈する二つのスピーカユニット８Ｆ，８Ｒを有する。スピーカユニット８Ｆとスピーカユニット８Ｒとはこの例において同じものである。
前ハウジング７Ｆには、スピーカユニット８Ｆが、例えば音放出面８Ｆａを前方側とする向きで収容されている。
スピーカユニット８Ｆの前後方向の収容位置は、スピーカユニット８Ｆと前ハウジング７Ｆの底壁７Ｆａとの間に隙間をもたせて概ね円柱状の空間Ｖｆが生じる位置とされている。
スピーカユニット８Ｆ，８Ｒは、音放出面８Ｆａ，８Ｒａとは反対側の背面からも音を放出する背面解放型である。
【００１４】
後ハウジング７Ｒには、スピーカユニット８Ｒが、例えば音放出面８Ｒａを後方側とする向きで収容されている。
スピーカユニット８Ｒの前後方向の収容位置は、スピーカユニット８Ｒと後ハウジング７Ｒの底壁７Ｒａとの間に隙間をもたせて概ね円柱状の空間Ｖｒ生じる位置とされている。
【００１５】
音放出面８Ｆａ，８Ｒａは、振動板８Ｆｂ，８Ｒｂの音が主に放出される面であり、スピーカユニット８Ｆ，８Ｒにおいて振動板８Ｆｂ，８Ｒｂは、音放出面８Ｆａ，８Ｒａに近い側に配置されている。
【００１６】
スピーカユニット８Ｆの中心軸線ＣＬ８ｆ及びスピーカユニット８Ｒの中心軸線ＣＬ８ｒは、この例において、共に軸線ＣＬ１と一致している。
底壁７Ｆａ及び底壁７Ｒａは、それぞれ貫通孔７Ｆｂ及び貫通孔７Ｒｂを有する。
貫通孔７Ｆｂ及び貫通孔７Ｒｂは、互いに連通する位置及び形状で形成されている。
空間Ｖｆ及び空間Ｖｒは、貫通孔７Ｆｂ及び貫通孔７Ｒｂを通気路として連通する一方、外部空間とは遮断されて密閉状態とされている。
【００１７】
貫通孔７Ｆｂ及び貫通孔７Ｒｂは、例えば、それぞれ軸線ＣＬ１を中心とする丸孔とされる。
また、貫通孔７Ｆｂ及び貫通孔７Ｒｂは、例えば、それぞれが前後方向で断面積が一定となる直孔とされる。また、同じ断面積を有する。
貫通孔７Ｆｂ及び貫通孔７Ｒｂの断面積は、それを含めた底壁７Ｆａ及び底壁７Ｒａの面積に対し、十分小さく設定される。具体的には例えば１０％以下とされる。この値は小さい方が高音質を得る観点から好ましい。
【００１８】
スピーカユニット８Ｆに対する前方側には、前ハウジング７Ｆと前本体部２と共に、空間Ｖ１を有する気室Ｒ１が形成されている。
これにより、スピーカユニット８Ｆの音放出面８Ｆａから放出された音は、空間Ｖ１を通って音筒部２ａの先端から外部に放出される。
スピーカユニット８Ｒに対する後方側には、後本体部４との間に空間Ｖ４を有する気室Ｒ４が形成されている。この例において気室Ｒ４は密閉状態とされ、内部の空間Ｖ４は外部空間から実質的に遮断されている。
スピーカユニット８Ｒの音放出面８Ｒａから放出された音は、空間Ｖ４内に放出される。
【００１９】
スピーカユニット８Ｆの背面（音放出面８Ｆａの反対面）及びスピーカユニット８Ｒの背面（音放出面８Ｒａの反対面）には、端子であるパッド８Ｆｅ，８Ｒｅ（図２参照）が設けられている。
パッド８Ｆｅ，８Ｒｅには、それぞれコード６から引き出されたリード６ｆ，６ｒが半田で接続されている（図１参照）。
リード６ｆ，６ｒを通す孔７Ｆｄ，７Ｒｄが、それぞれ前ハウジング７Ｆ，７Ｒに設けられている。孔７Ｆｄ，７Ｒｄは、リード６ｆ，６ｒとの隙間は極めてわずかであり、気室Ｒ２及び気室Ｒ３の密閉性に影響しない。
【００２０】
次にスピーカユニット８Ｆ，８Ｒについて、図２を参照して説明する。
この例においてスピーカユニット８Ｆとスピーカユニット８Ｒとは、同じものとされるので、主にスピーカユニット８Ｆについて詳述する。
図２（ａ）は、スピーカユニット８Ｆの側面図であり、図２（ｂ）は、背面図である。背面は、上述のように音放出面８Ｆａとは反対側の面である。
【００２１】
スピーカユニット８Ｆは、背面側が解放されたカップ状のケース８Ｆｃを有する。ケース８Ｆｃは、金属薄板材の絞り加工等で形成される。
ケース８Ｆｃの外径は、例えば６ｍｍである。
ケース８Ｆｃの音放出面８Ｆａには、振動板８Ｆｂからの音を放出するための複数の孔（図示せず）が形成されている。
【００２２】
スピーカユニット８Ｆの背面視では、ケース８Ｆｃの最背面側に収められた基板８Ｆｄが視認される。
基板８Ｆｄには、半田が盛られた１／４円形状のパッド８Ｆｅが、周方向９０°間隔で四ヶ所設けられている。基板８Ｆｄ上で、パッド８Ｆｅは互いに周方向に離隔しており、その隙間には、パッド８Ｆｅ間をより確実に隔離するための壁として十字状のアイソレータ８Ｆｆが取り付けられている。
【００２３】
基板８Ｆｄには、図２（ｂ）の上下方向に離隔して一対の通気孔８Ｆｇが設けられている。通気孔８Ｆｇは、ケース８Ｆｃの内部における振動板８Ｆｂの背面側の空間と外部空間とを連通する通気路となっている。
アイソレータ８Ｆｆには、通気孔８Ｆｇに対応した位置に、開口部８Ｆｆ１が形成されている。
【００２４】
この構成において、パッド８Ｆｅとスピーカユニット８Ｆとは電気的に所定の接続がなされている。
これにより、各パッド８Ｆｅにコード６内に挿通され胴部３内に引き出されたリード６ｆ，６ｒを、所定配線で半田接続することで、コード６を介して外部から入来した音声信号に応じた音が、スピーカユニット８Ｆから出力される。
スピーカユニット８Ｆは、アイソレータ８Ｆｆを備えているので、パッド８Ｆｅにリードを接続する際に、半田が通気孔８Ｆｇを塞ぐ虞がない。
これにより、スピーカユニット８Ｆの音質は、ばらつきが少なく所定の品質で維持される。
【００２５】
上述の構成により、スピーカユニット８Ｆは、振動板８Ｆｂの振動で音放出面８Ｆａから音を放出すると共に、通気孔８Ｆｇから背面側にも音を放出するようになっている。
スピーカユニット８Ｒも、スピーカユニット８Ｆと同じ構造を有し、スピーカユニット８Ｆと同等の音質及び音量で音を出力する。
【００２６】
図１に戻り、スピーカユニット８Ｆの振動板８Ｆｂの振動で生じた音の内、背面側に放出された音は、通気孔８Ｆｇを通り、空間Ｖｆ内に放出される。
スピーカユニット８Ｒの振動板８Ｒｂの振動で生じた音の内、背面側に放出された音は、通気孔８Ｒｇを通り、空間Ｖｒ内に放出される。
【００２７】
ここで、スピーカユニット８Ｆとスピーカユニット８Ｒとは、外部からの音声信号が、並列に逆相で供給されるようになっている。
従って、振動板８Ｆｂと振動板８Ｒｂとの振動方向は一致し、同期して前後方向に振動する。
また、上述のように、空間Ｖｆと空間Ｖｒとが貫通孔７Ｆｂ及び貫通孔７Ｒｂで連通している。これにより、イヤホン５１は、いわゆるプッシュプル駆動で音を出力する。
【００２８】
イヤホン５１は、上述のように、底壁７Ｆａ，７Ｒａの面積に対し、貫通孔７Ｆｂ，７Ｒｂの断面積である通気断面積が、十分小さく設定されている。
具体的には上述のように１０％以下とされるのが望ましく、図１に示される例では、０．１％以下とされている。
【００２９】
すなわち、上述のように、スピーカユニット８Ｆ（８Ｒ）のケース８Ｆｃ（８Ｒｃ）の外径を６ｍｍとし、前後方向の位置決めのために設けられた段部７Ｆｃ（７Ｒｃ）の分だけ縮径された底壁７Ｆａ（７Ｒａ）の直径を５ｍｍとしている。また、貫通孔７Ｆｂ（７Ｒｂ）を内径０．２ｍｍの丸孔としている。
この場合、貫通孔７Ｆｂ（７Ｒｂ）の内径は、約１．６ｍｍ以下とするのが好ましい。この例では、内径０．２ｍｍとしており、通気断面積は、底壁７Ｆａ（７Ｒａ）の面積の０．１６％と設定されている。
また、スピーカユニット８Ｒの背面と後ハウジング７Ｒの底壁７Ｒａとの距離、及びスピーカユニット８Ｆの背面と前ハウジング７Ｆの底壁７Ｆａとの距離は、１〜２ｍｍ程度である。
また、貫通孔７Ｆｂ及び貫通孔７Ｒｂの通気路としての長さはそれぞれ０．３〜０．４ｍｍ程度（合わせて合計０．６〜０．８ｍｍ程度）とされる。
【００３０】
図３は、上述のイヤホン５１の構造を、一般モデル化した図である。
図３に示されるように、このイヤホン５１の構造モデルは、前ハウジング７Ｆと後ハウジング７Ｒとによりハウジング体Ｈを構成したものとされる。
ハウジング体Ｈは、区画壁Ｗａによって前後方向に並ぶ二つの気室Ｒｆ，Ｒｒを有している。
区画壁Ｗａは、ハウジング体Ｈの前後方向中央部に形成されている（底壁７Ｆｂ，７Ｒｂに相当）。
【００３１】
ハウジング体Ｈの前方側の気室Ｒｆには、スピーカユニット８Ｆが、音放出面８Ｆａが前方を向く姿勢で収容されている。これにより、スピーカユニット８Ｆと区画壁Ｗａとの間に空間Ｖｆを有する気室Ｒ２が形成されている。
ハウジング体Ｈの後方側の気室Ｒｒには、スピーカユニット８Ｒが、スピーカユニット８Ｒの音放出面８Ｒａが後方を向く姿勢で収容されている。これにより、スピーカユニット８Ｒと区画壁Ｗａとの間に空間Ｖｒを有する気室Ｒ３が形成されている。
【００３２】
スピーカユニット８Ｆの前方側は、イヤピースＥＰが装着される音筒部２ａを介して外部空間に連通した空間Ｖ１を有する気室Ｒ１とされている。
スピーカユニット８Ｒの後方側は、密閉された空間Ｖ４を有する気室Ｒ４とされている。
区画壁Ｗａには、空間Ｖｆと空間Ｖｒとを通気する貫通孔Ｗｂが形成されている。
この構成において、空間Ｖｆの体積Ｖｆｔと、空間Ｖｒの体積Ｖｒｔと、が等しく設定されている（Ｖｆｔ＝Ｖｒｔ）。
また、貫通孔Ｗｂの断面積Ｓｗｂは、貫通孔Ｗｂを含めた区画壁Ｗａの面積Ｓｗａの０．１％以下とされている。
【００３３】
図４は、本発明の実施の形態に係るスピーカ装置の実施例であるスピーカ装置５１Ｐを説明するための縦断面図である。
スピーカ装置５１Ｐは、前後方向に複数（三つ）の気室ＲＰ１〜ＲＰ３を有するエンクロージャＨＰを有する。
エンクロージャＨＰの内部には、内部空間を前後方向で三つに区画する二つの区画壁である区画壁ＷａＰと区画壁ＷｃＰとが設けられている。
気室ＲＰ１と気室ＲＰ２とを区画する区画壁ＷａＰには、貫通する貫通孔ＷｂＰが形成されている。
気室ＲＲ２と気室ＲＰ３とを区画する区画壁ＷｃＰには、放音孔ＷｃＰ１が形成されている。
【００３４】
エンクロージャＨＰにおける前壁ＨＰｆには、スピーカユニット８ＰＦが、振動板８ＰＦｂが前方側に位置するように取り付けられている。
前壁ＨＰｆには、スピーカユニット８ＰＦから前方に出力された音を通過させる放音孔ＨＰｆ１が形成されている。
気室ＲＰ１において、前壁ＨＰｆと区画壁ＷａＰとの間の空間からスピーカユニット８ＰＦが占める空間を除いた空間ＶＰｆが形成されている。空間ＶＰｆは、貫通孔ＷｂＰ以外の部分が実質的に密閉されている。
【００３５】
区画壁ＷｃＰには、スピーカユニット８ＰＲが、例えば振動板８ＰＲｂが後方側に位置するように取り付けられている。すなわち、スピーカユニット８ＰＦとスピーカユニット８ＰＲとは、この例において、前後方向に逆向きに取り付けられている。
気室ＲＰ２において、区画壁ＷｃＰと区画壁ＷａＰとの間の空間からスピーカユニット８ＰＲが占める空間を除いた空間ＶＰｒが形成されている。空間ＶＰｒは、貫通孔ＷｂＰ以外の部分が実質的に密閉されている。
【００３６】
スピーカユニット８ＰＲから後方に出力された音は、放音孔ＷｃＰ１を通りエンクロージャＨＰの後壁ＨＰｒと区画壁ＷｃＰとの間の密閉された空間ＶＰ４内に放出される。
【００３７】
空間ＶＰｆの体積ＶＰｆｔと、空間ＶＰｒの体積ＶＰｒｔとは、等しく設定されている（ＶＰｆｔ＝ＶＰｒｔ）。
また、貫通孔ＷｂＰの断面積ＳｗｂＰは、貫通孔ＷｂＰを含めた区画壁ＷａＰの面積ＳｗａＰの０．１％以下とされている。
【００３８】
上述のイヤホン５１（スピーカ装置５１Ｐ）において、スピーカユニット８Ｆ（８ＰＦ），８Ｒ（８ＰＲ）は、前後方向に並設された気室Ｒｆ（ＲＰ１）と気室Ｒｒ（ＲＰ２）とに、背面が対向する姿勢で、かつ、それぞれの気室の外方に向かってそれぞれ離隔して収容されている。
スピーカユニット８Ｆ（８ＰＦ）とスピーカユニット８Ｒ（８ＰＲ）との間には、気室Ｒｆ（ＲＰ１）と気室Ｒｒ（ＲＰ２）とを区画する区画壁Ｗａ（ＷａＰ）を有し、区画壁Ｗａ（ＷａＰ）には、区画壁Ｗａ（ＷａＰ）に対し流路断面積が十分小さい通気路として貫通孔Ｗｂ（ＷｂＰ）が設けられている。
【００３９】
図３及び図４に示されるように、スピーカユニット８Ｆ（８ＰＦ）の背面側の空間Ｖｆ（ＶＰｆ）とスピーカユニット８Ｒ（８ＰＲ）の背面側の空間Ｖｒ（ＶＰｒ）とは、貫通孔Ｗｂ（ＷｂＰ）で連通し、かつ外部空間Ｖｇ（Ｖｇ）に対して実質的に密閉されている。
スピーカユニット８Ｆの正面側の空間Ｖ１は、外部空間と連通している。スピーカユニット８ＰＦの正面側の空間は外部空間Ｖｇである。
スピーカユニット８Ｒ（８ＰＲ）の正面側の空間Ｖ４（ＶＰ４）は、実質的に密閉されている。
【００４０】
外部からの音声信号が、スピーカユニット８Ｆ（８ＰＦ）とスピーカユニット８Ｒ（８ＰＲ）とに逆相で入力され、それぞれの振動板８Ｆｂ（８ＰＦｂ），８Ｒｂ（８ＰＲｂ）は、同方向に振動する、いわゆるプッシュプル駆動を行うようになっている。
【００４１】
さらにいうと、イヤホン５１及びスピーカ装置５１Ｐは、二つのスピーカユニットそれぞれの背面側の空間Ｖｆ（ＶＰｆ）及び空間Ｖｒ（ＶＰｒ）の体積が十分小さく、かつ、流路断面積の小さい通気孔としての貫通孔Ｗｂ（ＷＰｂ）で連通している。これにより、スピーカユニット８Ｆ（８ＰＦ），８Ｒ（８ＰＲ）が小型であっても、振動させる空気の量が少なくて済むためプッシュプル動作が可能となっている。
そのため、イヤホン５１及びスピーカ装置５１Ｐは、スピーカユニットが小型であっても、低音の再生レベルが高く、歪の少ない高音質の再生音が得られる。
【００４２】
また、貫通孔Ｗｂ（ＷＰｂ）の面積、すなわち、貫通孔Ｗｂ（ＷＰｂ）を通る気体の流路断面積ＳＷｂ（ＳＷＰｂ）を、貫通孔Ｗｂ（ＷＰｂ）を含む区画壁Ｗａ（ＷａＰ）の面積ＳＷａ（ＳＷＰａ）に対し、十分小さく設定している。
例えば外径１０ｍｍ以下の小さいスピーカユニットを用いた場合、区画壁Ｗａ（ＷａＰ）を設けることで、低音域の再生レベルが高くなって音質が向上する。さらにＳＷｂ（ＳＷＰｂ）／ＳＷａ（ＳＷＰａ）の値αを小さくるすほど、中低音域の再生レベルが高くなって音質が向上する。
上述のようにαを０．１以下（１０％以下）とするとよいが、さらに中音域の音質向上のためにαを０．０２以下にすることはより好ましい。
【００４３】
本発明の実施例は、上述した構成に限定されるものではなく、本発明の要旨を逸脱しない範囲において変形例としてもよい。
【００４４】
図５は、イヤホン５１の変形例１であるイヤホン５２Ａを説明する図である。
イヤホン５２Ａは、イヤホン５１のハウジング体Ｈの代わりにハウジング体Ｈ２を有する。ハウジング体Ｈ２は、後壁Ｈ２ｒに貫通孔Ｈ２ａを有する点でハウジング体Ｈと異なる。貫通孔Ｈ２ａは、空間Ｖ４と外部空間とを連通する。
この構造は、スピーカ装置５１Ｐにも用いることができる。
これにより、スピーカユニット８Ｒの負荷が減って動作効率が高くなるので、変形例１は、スピーカユニット８Ｒがより小型の場合に好適である。また、貫通孔Ｈ２ａにフィルタを挿入できるので、フィルタの種類に応じた音質調整も容易となる。
【００４５】
図６は、イヤホン５１の変形例２であるイヤホン５２Ｂを説明する図である。
イヤホン５２Ｂは、イヤホン５１に対し、空間Ｖ４と空間Ｖ１とを連通するパイプ１１を備えたものである。
この構造は、スピーカ装置５１Ｐにも用いることができる。
この変形例２も、変形例１と同様に、スピーカユニット８Ｒの負荷が減って動作効率が高くなり、加えてパイプ１１の種類や形状に応じて音質調整を容易とすることができる態様である。
【００４６】
ここまで、前後方向に逆向きに配置された二つのスピーカユニットを有する構造について説明したが、前方を向くスピーカユニット又は後方を向くスピーカユニットを複数にしてもよい。
【００４７】
図７は、イヤホン５１の変形例３であるイヤホン５３を説明する図である。
イヤホン５３は、前後方向に区画された複数（四つ）の気室Ｒ３１〜Ｒ３４を有する。
すなわち、ハウジング体Ｈ３は、前壁Ｈ３ａと後壁Ｈ３ｅとの間に三つの仕切り壁Ｈ３ｂ〜Ｈ３ｄを有して四つの気室Ｒ３１〜Ｒ３４を形成している。
前壁Ｈ３ａにはイヤピースＥＰが装着される音筒部Ｈ３ａ１が形成され、気室Ｒ３１内の空間Ｖ３１は、外部空間Ｖｇと連通している。
【００４８】
仕切り壁Ｈ３ｂには、ハウジング体Ｈ３の前方を音放出方向とする姿勢で、背面解放型のスピーカユニット８Ｆ１，８Ｆ２が取り付けられている。
仕切り壁Ｈ３ｄには、後方を音放出方向とする姿勢、すなわち、スピーカユニット８Ｆ１，８Ｆ２とは前後方向逆向きに、背面解放型のスピーカユニット８Ｒ１，８Ｒ２が取り付けられている。
仕切り壁Ｈ３ｃには、空間Ｖ３２と空間Ｖ３３とを連通する通気孔としての貫通孔Ｈ３ｃ１が形成されている。
前壁Ｈ３ａには音筒部Ｈ３ａ１が形成され、気室Ｒ３１内の空間Ｖ３１は、外部空間と連通している。
空間Ｖ３２と空間Ｖ３３とは、貫通孔Ｈ３ｃ１で連通する以外、外部に対しては密閉されている。
気室Ｒ３２内の空間Ｖ３２の体積Ｖ３２ｔと、気室Ｒ３３内の空間Ｖ３３の体積Ｖ３３ｔと、は等しくなっている。
また、貫通孔Ｈ３ｃ１の通路断面積を含む仕切り壁Ｈ３ｃの面積に対し、貫通孔Ｈ３ｃ１の通路断面積は０．１％以下とされている。
【００４９】
各スピーカユニット８Ｆ１〜８Ｒ２は、外部からの音声信号に対し、次のように振動するように結線される。
スピーカユニット８Ｆ１とスピーカユニット８Ｆ２とは、同相で振動する。
スピーカユニット８Ｒ１とスピーカユニット８Ｒ２とは、同相で振動する。
スピーカユニット８Ｆ１及びスピーカユニット８Ｆ２と、スピーカユニット８Ｒ１及びスピーカユニット８Ｒ２と、は、逆相で振動する。
これにより、イヤホン５３は、音声信号に対し、スピーカユニット８Ｆ１及びスピーカユニット８Ｆ２を含む組から構成される第１のスピーカユニットと、スピーカユニット８Ｒ１及びスピーカユニット８Ｒ２を含む組から構成される第２のスピーカユニットと、における四つの振動板が前後方向で同じ方向に振動してプッシュプル動作を行う。
【００５０】
イヤホン５３は、二つ以上のスピーカユニットの組を二組有する。各組を、例えば二つのスピーカユニットで構成し、その二つのスピーカユニットとして特性の異なるものを用いることで、トータルの再生音を向上させることができる。例えば、組の一方のスピーカユニットを低音域再生に優れたものとし、他方を中音域再生に優れたものにすれば、イヤホン５３として再生音を、中低音域で優れたものにできる。
【００５１】
図８は、イヤホン５１の変形例３であるイヤホン５３をさらに変形した変形例４のイヤホン５４を説明するための図である。
イヤホン５４は、イヤホン５３におけるハウジング体Ｈ３を分割した、気室Ｒ４１及び気室Ｒ４２を有する前ハウジング体Ｈ３Ｆと、気室Ｒ４３及び気室Ｒ４４を有する後ハウジング体Ｈ３Ｒとを有する。
さらに、イヤホン５４は、前ハウジング体Ｈ３Ｆと後ハウジング体Ｈ３Ｒとを、気室Ｒ４２内の空間Ｖ４２と気室Ｒ４３内の空間Ｖ４３とを連通するように、貫通孔Ｈ３ｃ１に相当する貫通孔１２ａを有する通気パイプ１２で連結したものである。
これにより、通気パイプ１２の長さや貫通孔１２ａの太さに応じた音質調整が可能となる。
【００５２】
図９は、イヤホン５１の変形例であるイヤホン５３をさらに変形した変形例５のイヤホン５５を説明するための図である。
イヤホン５５は、イヤホン５３における二つのスピーカユニット８Ｒ１，８Ｒ２を、一つのスピーカユニット８Ｒ３に置き換えたものである。スピーカユニット８Ｒ３は、背面解放型であって、スピーカユニット８Ｒ３の音放出面８Ｒ３ａが後方を向く姿勢になるように配置される。
この置き換えは、スピーカユニット８Ｆ１，８Ｆ２に行ってもよい。
すなわち、音放出面が前方を向くよう配置されたスピーカユニットの数と、音放出面が後方を向くよう配置されたスピーカユニットの数とは、一致してなくてもよく、それぞれの数も限定されない。
これにより、採用したスピーカユニットの特性を生かした再生音を出力することができる。
【００５３】
図１０は、イヤホン５１に対し、さらに別の変形をした変形例６のイヤホン５６を説明する図であり、図３に対応した図である。
図１０に示されるように、イヤホン５６は、前ハウジング７Ｆ及び後ハウジング７Ｒと、イヤホン５１においてこれらのいずれかに接する部材である前本体部２，胴部３，及び後本体部４と、の間、及び、前ハウジング７Ｆと後ハウジング７Ｒとの間に、制振部材１３を介在させたものである。
これにより、前ハウジング７Ｆと後ハウジング７Ｒとの共振を防止し、歪感の少ない再生音を出力することができる。
【００５４】
音声出力装置は、イヤホンやスピーカ装置に限らず、スピーカユニットを備えて、入力された電気信号に基づいて音声を出力するものであればよい。
【００５５】
また、音声出力装置は、ダイナミック型の音声出力装置であることが望ましい。
【００５６】
また、２つのスピーカユニット８Ｆ，８Ｒ（８ＰＦ，８ＰＲ）は、それぞれの背面が対向しない向きでハウジング体Ｈ（エンクロージャＨＰ）の内部に配置されていてもよい。各変形例についても同様である。このように、スピーカユニットの向きは正背（前後）自由なので、ハウジング体やエンクロージャの設計自由度が高い。
【符号の説明】
【００５７】
１  本体部
２  前本体部、    ２ａ  音筒部
３  胴部、    ３ａ  前後ハウジング収容孔
４  後本体部
５  ブッシング
６  コード、    ６ｆ，６ｒ  リード
７Ｆ  前ハウジング
７Ｒ  後ハウジング
７Ｆａ，７Ｒａ  底壁、    ７Ｆｂ，７Ｒｂ  貫通孔
７Ｆｃ，７Ｒｃ  段部、    ７Ｆｄ，７Ｒｄ  孔
８Ｆ，８Ｒ，８ＰＦ，８ＰＲ  スピーカユニット
８Ｆａ，８Ｒａ  音放出面
８Ｆｂ，８Ｒｂ，８ＰＦｂ，８ＰＲｂ  振動板、    ８Fｃ  ケース
８Ｆｄ  基板、    ８Ｆｅ，８Ｒｅ  パッド、      ８Ｆｆ  アイソレータ
８Ｆｆ１  開口部、    ８Ｆｇ，８Ｒｇ  通気孔
５１，５２Ａ，５２Ｂ，５３〜５６  イヤホン、    ５１Ｐ  スピーカ装置
ＣＬ１，ＣＬ８ｆ，ＣＬ８ｒ  軸線
ＥＰ  イヤピース、    Ｈ  ハウジング体、    ＨＰ  エンクロージャ
ＨＰｆ  前壁、    ＨＰｆ１  放音孔、    ＨＰｒ  後壁
Ｒ１〜Ｒ４，Ｒｆ，Ｒｒ，ＲＰ１〜ＲＰ３，Ｒ３１〜３４，Ｒ４１〜Ｒ４４  気室
Ｖｆ，Ｖｒ，Ｖ１，Ｖ４，Ｖｆ，Ｖｒ，ＶＰｆ，ＶＰｒ，ＶＰ４  空間
Ｖｇ  外部空間
Ｗａ，ＷａＰ，ＷｃＰ  区画壁
Ｗｂ，ＷｂＰ  貫通孔、    ＷｃＰ１  放音孔
【図１】
2017069611.tif 000003
【図２】
2017069611.tif 000004
【図３】
2017069611.tif 000005
【図４】
2017069611.tif 000006
【図５】
2017069611.tif 000007
【図６】
2017069611.tif 000008
【図７】
2017069611.tif 000009
【図８】
2017069611.tif 000010
【図９】
2017069611.tif 000011
【図１０】
2017069611.tif 000012